(57)【要約】  【課題】    本発明は、低粘度、高粘度指数、耐熱性、潤滑性、低温流動性、金属適合性などの基本要求特性をバランスよく兼ね備えた有機酸エステルを含有する軸受用潤滑油を提供すること。  【解決手段】  一般式（１）で表されるジエステルの少なくとも一種含有する軸受用潤滑油。  【化１】2008297501.tif 000006［式中、Ｒ1及びＲ2は、同一又は相異なって炭素数４〜１８の直鎖状若しくは分岐鎖状のアルキル基を表す。Ａ１は、主鎖である直鎖状アルキレン基と、これに結合した１個若しくは２個以上のアルキル基（分枝）からなり、該直鎖状アルキレン基と該１個若しくは２個以上のアルキル基との合計炭素数が２〜８である分岐鎖状アルキレン基を示す。］【選択図】  なし【特許請求の範囲】
【請求項１】
一般式（１）
【化１】
2008297501.tif 000005
［式中、Ｒ1及びＲ2は、同一又は相異なってそれぞれ炭素数４〜１８の直鎖状若しくは分岐鎖状のアルキル基を表す。Ａ１は、主鎖である直鎖状アルキレン基と、これに結合した１個若しくは２個以上のアルキル基（分枝）からなり、該直鎖状アルキレン基と該１個若しくは２個以上のアルキル基との合計炭素数が２〜８である分岐鎖状アルキレン基を示す。］  
で表されるジエステルの少なくとも一種を含有する軸受用潤滑油。
【請求項２】
一般式（１）においてＡ１のアルキル基（分枝）が１個又は２個である請求項１に記載の軸受用潤滑油。  
【請求項３】
一般式（１）においてＡ１の直鎖状アルキレン基（主鎖）の炭素数が２〜４である請求項１又は２に記載の軸受用潤滑油。
【請求項４】
Ｒ1及びＲ2が、同一又は相異なってそれぞれ炭素数７〜１０の直鎖状若しくは分岐鎖状のアルキル基である請求項１〜３の何れかに記載の軸受用潤滑油。
【請求項５】
一般式（１）で表されるジエステルの総炭素数が、１８〜３０である請求項１に記載の軸受用潤滑油。 
【請求項６】
一般式（１）で表されるジエステルの４０℃における動粘度が５〜１５ｍｍ２／ｓ、粘度指数が１３０以上であり、及び流動点が−４０℃以下である請求項１〜５のいずれかに記載の軸受用潤滑油。
【発明の詳細な説明】
【技術分野】
【０００１】
本発明は、軸受用潤滑油に関し、より詳しくは広い温度領域に対して低粘度であり、耐熱性、低温流動性、金属適合性のバランスに優れた有機酸エステルを含有する軸受用潤滑油に関するものである。
【背景技術】
【０００２】
近年の地球温暖化問題に対して、自動車、家電、電子情報機器、工業用機械など様々な産業分野で機器の高効率化が検討されている。これらの機器に使用される潤滑油についても高効率化のために種々の改良が要求されており、その効果的な改良方法の一つとして、粘性摩擦によるエネルギー損失を低減するために、潤滑油の低粘度化が進められている。
【０００３】
従来、潤滑油としては安価で入手容易な鉱物油が主に使用されてきたが、耐熱性を始めとする諸性能が乏しいため最近では基本要求特性が厳しい用途においては、目的に適した分子設計が可能な合成炭化水素や有機酸エステル類等の合成潤滑油が主に用いられている。
【０００４】
合成炭化水素油としては、１−デセンから誘導されるポリ−α−オレフィンが例示される。また、有機酸エステルとしては、脂肪族モノカルボン酸と一価アルコールの反応から得られるモノエステル（以下、「モノエステル」という。）、脂肪族二塩基酸と一価アルコールの反応から得られるジエステル（以下、「脂肪族二塩基酸ジエステル」という。）、多価アルコールと脂肪族カルボン酸との反応から得られるエステル（以下、「ポリオールエステル」という。）、及び多価アルコール、多塩基酸、脂肪族モノカルボン酸（及び／又は脂肪族一価アルコール）との反応から得られる複合エステル（以下、「ポリオール型複合エステル」という。）等が開示されている（特許文献１〜１０）。
【０００５】
軸受用潤滑油に求められる性能としては、耐熱性（酸化安定性、耐揮発性、粘度変化が小さいこと）に優れること、広い温度範囲で使用できること、潤滑性に優れること、軸受材との適合性（金属適合性）に優れていること等が挙げられる。中でも、軸受に対する負荷増大による温度の上昇が大きい点で、耐熱性、金属適合性が非常に重要視されている。又、最近では、より低温環境での使用が必要とされており、低温特性に優れること、即ち、低温粘度が低く、良好な低温流動性を有することが強く求められている。従来から使用されている上記合成炭化水素油及び有機酸エステル類は、高い耐熱性、良好な金属適合性、及び優れた低温特性をバランスよく兼ね備えているとは言い難く、更なる改善が要望されている。
【０００６】
【特許文献１】特開昭６０−１６１４８５号公報
【特許文献２】特開平４−２４９５９３号公報
【特許文献３】特開平１１−１７２２６７号公報
【特許文献４】特開平３−２００８９５号公報
【特許文献５】特開平７−２２４２８９号公報
【特許文献６】特開平３−１２８９９１号公報
【特許文献７】特開平３−１２８９９２号公報
【特許文献８】特開平３−２００８９６号公報
【特許文献９】特開平５−３３１４７４号公報
【特許文献１０】特表平７−５０８７８３号公報
【発明の開示】
【発明が解決しようとする課題】
【０００７】
本発明は、低粘度、粘度指数、耐熱性、潤滑性、低温流動性、金属適合性などの基本要求特性をバランスよく兼ね備えた有機酸エステルを含有する軸受用潤滑油を提供することを目的とする。
【課題を解決するための手段】
【０００８】
本発明者らは、上記課題を解決すべく鋭意検討した結果、下記の知見を得た。
（１）脂肪族直鎖状二塩基酸ジエステルは、低粘度、高粘度指数、低温流動性を満たすことが困難であること。
（２）アルキル基を分枝としてを有する脂肪族二塩基酸ジエステルが、低粘度、高粘度指数、低温流動性に優れていること。
（３）特に、メチル、エチル基を分枝として有する脂肪族二塩基酸と飽和脂肪族直鎖状一価アルコール及び飽和分岐鎖状一価アルコールから得られる混基ジエステルは、低粘度、粘度指数、低温流動性のバランスに優れること。
（４）更に、メチル基を分枝として有する特定鎖長の脂肪族二塩基酸、及び特定鎖長の脂肪族一価アルコールを用いたジエステルは、潤滑性、耐熱性、金属適合性に優れ、潤滑油として優れた性能を発揮すること。
【０００９】
即ち、本発明は、以下の軸受用潤滑油を提供するものである。
【００１０】
［項１］
一般式（１）
【化１】
2008297501.tif 000002
［式中、Ｒ1及びＲ2は、同一又は相異なってそれぞれ炭素数４〜１８の直鎖状若しくは分岐鎖状のアルキル基を表す。Ａ１は、主鎖である直鎖状アルキレン基と、これに結合した１個若しくは２個以上のアルキル基（分枝）からなり、該直鎖状アルキレン基と該１個若しくは２個以上のアルキル基との合計炭素数が２〜８である分岐鎖状アルキレン基を示す。］  
で表されるジエステルの少なくとも一種を含有する軸受用潤滑油。
【００１１】
［項２］
一般式（１）においてＡ１のアルキル基（分枝）が１個又は２個である上記項１に記載の軸受用潤滑油。
【００１２】
［項３］
一般式（１）においてＡ１の直鎖状アルキレン基（主鎖）の炭素数が２〜４である上記項１又は２に記載の軸受用潤滑油。
【００１３】
［項４］
Ｒ1及びＲ2が、同一又は相異なってそれぞれ炭素数７〜１０の直鎖状若しくは分岐鎖状のアルキル基である上記項１〜３の何れかに記載の軸受用潤滑油。
【００１４】
［項５］
一般式（１）で表されるジエステルの総炭素数が、１８〜３０である上記項１に記載の軸受用潤滑油。
【００１５】
［項６］
一般式（１）で表されるジエステルの４０℃における動粘度が５〜１５ｍｍ２／ｓ、粘度指数が１３０以上であり、流動点が−４０℃以下である上記項１〜５のいずれかに記載の軸受用潤滑油。
【発明の効果】
【００１６】
本発明によれば、低粘度、高粘度指数、耐熱性、潤滑性、低温流動性、金属適合性などの基本要求特性をバランスよく兼ね備えた有機酸エステルを含有する潤滑油を得ることができる。
【発明を実施するための最良の形態】
【００１７】
［脂肪族分岐鎖状二塩基酸ジエステル］
本発明の潤滑油に係る一般式（１）で表される脂肪族分岐鎖状二塩基酸ジエステル（以下、「本エステル」という。）は、所定の酸成分と、所定のアルコール成分とから、従来公知の方法、好ましくは窒素等の不活性ガス雰囲気中、常圧又は減圧下において、エステル化触媒の存在下又は無触媒下で加熱撹拌しながらエステル化することにより調製することができる。
【００１８】
［（Ａ）酸成分］
本エステルに用いられる酸成分としては、下記一般式（２）
【化２】
2008297501.tif 000003
［式中、Ａ１は、主鎖である直鎖状アルキレン基と、これに結合した１個若しくは２個以上のアルキル基（分枝）からなり、該直鎖状アルキレン基と該１個若しくは２個以上のアルキル基との合計炭素数が２〜８である分岐鎖状アルキレン基を示す。］
で表される炭素数４〜１０、好ましくは炭素数５〜９の脂肪族分岐鎖状二塩基酸が例示される。
また、２個の分枝が同一の炭素原子に結合している化合物は、対称性が高く、流動点が上昇するため、２個の分岐鎖が同一の炭素原子に結合していない方が好ましい。
【００１９】
炭素数４〜１０の脂肪族分岐鎖状二塩基酸としては、具体的には、メチルマロン酸、エチルマロン酸、２−メチルコハク酸、２，３−ジメチルコハク酸、２−エチルコハク酸、２，３−ジエチルコハク酸、２−メチル−３−エチルコハク酸、２−メチルグルタル酸、３−メチルグルタル酸、２，３−ジメチルグルタル酸、２，４−ジメチルグルタル酸、２，３，４−トリメチルグルタル酸、２−エチルグルタル酸、３−エチルグルタル酸、２，３−ジエチルグルタル酸、２，４−ジエチルグルタル酸、２−メチル−３−エチルグルタル酸、２−メチル−４−エチルグルタル酸、２−エチル−３−メチルグルタル酸、２，３−ジメチル−４−エチルグルタル酸、２，４−ジメチル−３−エチルグルタル酸、２，３−ジエチル−４−メチルグルタル酸、２，４−ジエチル−３−メチルグルタル酸、２−メチルアジピン酸、３−メチルアジピン酸、２，３−ジメチルアジピン酸、２，４−ジメチルアジピン酸、２，５−ジメチルアジピン酸、３，４−ジメチルアジピン酸、３，５−ジメチルアジピン酸、２，３，４−トリメチルアジピン酸、２，３，５−トリメチルアジピン酸、２，３，４，５−テトラメチルアジピン酸、 ２−エチルアジピン酸、３−エチルアジピン酸、２，３−ジエチルアジピン酸、２，４−ジエチルアジピン酸、２，５−ジエチルアジピン酸、３，４−ジエチルアジピン酸、３，５−ジエチルアジピン酸、２−メチル−３−エチルアジピン酸、２−メチル−４−エチルアジピン酸、２−メチル−５−エチルアジピン酸、２−エチル−３−メチルアジピン酸、２−エチル−４−メチルアジピン酸、２，３−ジメチル−４−エチルアジピン酸、２，３−ジメチル−５−エチルアジピン酸、２，４−ジメチル−３−エチルアジピン酸、２，４−ジメチル−５−エチルアジピン酸、２，５−ジメチル−３−エチルアジピン酸、２，５−ジメチル−４−エチルアジピン酸、２−メチルピメリン酸、３−メチルピメリン酸、４−メチルピメリン酸、２，３−ジメチルピメリン酸、２，４−ジメチルピメリン酸、２，５−ジメチルピメリン酸、２，６−ジメチルピメリン酸、３，４−ジメチルピメリン酸、３，５−ジメチルピメリン酸、２，３，４−トリメチルピメリン酸、２，３，５−トリメチルピメリン酸、２，３，６−トリメチルピメリン酸、２，４，５−トリメチルピメリン酸、２，４，６−トリメチルピメリン酸、３，４，５−トリメチルピメリン酸、２−エチルピメリン酸、３−エチルピメリン酸、４−エチルピメリン酸、２−メチル−３−エチルピメリン酸、２−メチル−４−エチルピメリン酸、２−メチル−５−エチルピメリン酸、２−メチル−６−エチルピメリン酸、２−エチル−３−メチルピメリン酸、２−エチル−４−メチルピメリン酸、２−エチル−５−メチルピメリン酸、３−メチル−４−エチルピメリン酸、３−メチル−５−エチルピメリン酸、２−メチルスベリン酸、３−メチルスベリン酸、４−メチルスベリン酸、２，３−ジメチルスベリン酸、２，４−ジメチルスベリン酸、２，５−ジメチルスベリン酸、２，６−ジメチルスベリン酸、２，７−ジメチルスベリン酸、３，４−ジメチルスベリン酸、３，５−ジメチルスベリン酸、３，６−ジメチルスベリン酸、４，５−ジメチルスベリン酸、２��エチルスベリン酸、３−エチルスベリン酸、４−エチルスベリン酸、２−メチルアゼライン酸、３−メチルアゼライン酸、４−メチルアゼライン酸、５−メチルアゼライン酸およびそれらのエステル形成性誘導体が挙げられる。これらは、夫々単独で又は２種以上を適宜組み合わせてエステル化に供することができる。尚、エステル形成性誘導体としては脂肪族分岐鎖状二塩基酸の、無水物、塩化物、炭素数１〜２の低級アルコールとのエステル、又はアリールエステル等の活性エステルが例示される。
【００２０】
これらの中でも、アルキル基（好ましくは、メチル基もしくはエチル基）を１個か２個有する脂肪族二塩基酸が好ましく、具体的には、メチルマロン酸、エチルマロン酸、２−メチルコハク酸、２，３−ジメチルコハク酸、２−エチルコハク酸、２，３−ジエチルコハク酸、２−メチル−３−エチルコハク酸、２−メチルグルタル酸、３−メチルグルタル酸、２，３−ジメチルグルタル酸、２，４−ジメチルグルタル酸、２−エチルグルタル酸、３−エチルグルタル酸、２，３−ジエチルグルタル酸、２，４−ジエチルグルタル酸、２−メチル−３−エチルグルタル酸、２−メチル−４−エチルグルタル酸、２−エチル−３−メチルグルタル酸、２−メチルアジピン酸、３−メチルアジピン酸、２，３−ジメチルアジピン酸、２，４−ジメチルアジピン酸、２，５−ジメチルアジピン酸、３，４−ジメチルアジピン酸、３，５−ジメチルアジピン酸、２−エチルアジピン酸、３−エチルアジピン酸、２，３−ジエチルアジピン酸、２，４−ジエチルアジピン酸、２，５−ジエチルアジピン酸、３，４−ジエチルアジピン酸、３，５−ジエチルアジピン酸、２−メチル−３−エチルアジピン酸、２−メチル−４−エチルアジピン酸、２−メチル−５−エチルアジピン酸、２−エチル−３−メチルアジピン酸、２−エチル−４−メチルアジピン酸、２−メチルピメリン酸、３−メチルピメリン酸、４−メチルピメリン酸、２，３−ジメチルピメリン酸、２，４−ジメチルピメリン酸、２，５−ジメチルピメリン酸、２，６−ジメチルピメリン酸、３，４−ジメチルピメリン酸、３，５−ジメチルピメリン酸、２−エチルピメリン酸、３−エチルピメリン酸、４−エチルピメリン酸、２−メチル−３−エチルピメリン酸、２−メチル−４−エチルピメリン酸、２−メチル−５−エチルピメリン酸、２−メチル−６−エチルピメリン酸、２−エチル−３−メチルピメリン酸、２−エチル−４−メチルピメリン酸、２−エチル−５−メチルピメリン酸、３−メチル−４−エチルピメリン酸、３−メチル−５−エチルピメリン酸、２−メチルスベリン酸、３−メチルスベリン酸、４−メチルスベリン酸、２，３−ジメチルスベリン酸、２，４−ジメチルスベリン酸、２，５−ジメチルスベリン酸、２，６−ジメチルスベリン酸、２，７−ジメチルスベリン酸、３，４−ジメチルスベリン酸、３，５−ジメチルスベリン酸、３，６−ジメチルスベリン酸、４，５−ジメチルスベリン酸、２−エチルスベリン酸、３−エチルスベリン酸、４−エチルスベリン酸、２−メチルアゼライン酸、３−メチルアゼライン酸、４−メチルアゼライン酸、５−メチルアゼライン酸およびそれらのエステル形成性誘導体が挙げられる。これらは、夫々単独で又は２種以上を適宜組み合わせてエステル化に供することができる。尚、エステル形成性誘導体としては脂肪族分岐鎖状二塩基酸の、無水物、塩化物、炭素数１〜２の低級アルコールとのエステル、又はアリールエステル等の活性エステルが例示される。
【００２１】
上記の中でも総炭素数が５〜１０である脂肪族二塩基酸が好ましく、具体的には、２−メチルコハク酸、２，３−ジメチルコハク酸、２−エチルコハク酸、２，３−ジエチルコハク酸、２−メチル−３−エチルコハク酸、２−メチルグルタル酸、３−メチルグルタル酸、２，３−ジメチルグルタル酸、２，４−ジメチルグルタル酸、２−エチルグルタル酸、３−エチルグルタル酸、２，３−ジエチルグルタル酸、２，４−ジエチルグルタル酸、２−メチル−３−エチルグルタル酸、２−メチル−４−エチルグルタル酸、２−エチル−３−メチルグルタル酸、２，３−ジメチル−４−エチルグルタル酸、２，４−ジメチル−３−エチルグルタル酸、２，３−ジエチル−４−メチルグルタル酸、２，４−ジエチル−３−メチルグルタル酸、２−メチルアジピン酸、３−メチルアジピン酸、２，３−ジメチルアジピン酸、２，４−ジメチルアジピン酸、２，５−ジメチルアジピン酸、３，４−ジメチルアジピン酸、３，５−ジメチルアジピン酸、２−エチルアジピン酸、３−エチルアジピン酸、２，３−ジエチルアジピン酸、２，４−ジエチルアジピン酸、２，５−ジエチルアジピン酸、３，４−ジエチルアジピン酸、３，５−ジエチルアジピン酸、２−メチル−３−エチルアジピン酸、２−メチル−４−エチルアジピン酸、２−メチル−５−エチルアジピン酸、２−エチル−３−メチルアジピン酸、２−エチル−４−メチルアジピン酸およびそれらのエステル形成性誘導体が挙げられる。これらは、夫々単独で又は２種以上を適宜組み合わせてエステル化に供することができる。尚、エステル形成性誘導体としては脂肪族分岐鎖状二塩基酸の、無水物、塩化物、炭素数１〜２の低級アルコールとのエステル、又はアリールエステル等の活性エステルが例示される。
【００２２】
特に、これらの中でも、メチル基を１個有する脂肪族二塩基酸が好ましい。なかでも、低温流動性や耐熱性などのバランスに優れる点で、炭素数５〜７の脂肪族分岐鎖状二塩基酸が好ましく、具体的には、２−メチルコハク酸、２−メチルグルタル酸、３−メチルグルタル酸、２−メチルアジピン酸、３−メチルアジピン酸が例示され、更には、非常に高い粘度指数、良好な耐熱性及び低温流動性を有する点で、特に、炭素数が７であり、カルボキシル基に隣接しないメチル基を１つ有する脂肪族二塩基酸が好ましく、具体的には、３−メチルアジピン酸が最も推奨される。
【００２３】
［（Ｂ）アルコール成分］
本エステルに用いられるアルコール成分としては、炭素数４〜１８の直鎖状若しくは分岐鎖状の飽和脂肪族一価アルコールが例示される。具体的な直鎖状一価アルコールとしては、
ｎ−ブタノール、ｎ−ペンタノール、ｎ−ヘキサノール、ｎ−ヘプタノール、ｎ−オクタノール、ｎ−ノナノール、ｎ−デカノール、ｎ−ウンデカノール、ｎ−ドデカノール、ｎ−トリデカノール、ｎ−テトラデカノール、ｎ−ペンタデカノール、ｎ−ヘキサデカノール、ｎ−ヘプタデカノール、ｎ−オクタデカノールが例示される。なかでも、耐熱性及び低粘度に優れる点で、ｎ−ヘプタノール、ｎ−オクタノール、ｎ−ノナノール、ｎ−デカノールが好ましい。これらは、夫々単独で又は２種以上を適宜組み合わせてエステル化に供することができる。
【００２４】
又、具体的な分岐鎖状一価アルコールとしては、イソブタノール、イソペンタノール、イソヘキサノール、イソヘプタノール、イソオクタノール、２−エチルヘキサノール、イソノナノール、３，５，５−トリメチルヘキサノール、イソデカノール、イソウンデカノール、イソドデカノール、イソトリデカノール、イソテトラデカノール、イソペンタデカノール、イソヘキサデカノール、イソヘプタデカノール、イソオクタデカノールが例示される。なかでも、耐熱性及び低温流動性に優れる点で、具体的には、イソヘプタノール、イソオクタノール、２−エチルヘキサノール、イソノナノール、３，５，５−トリメチルヘキサノール、イソデカノールが好ましい。これらは、夫々単独で又は２種以上を適宜組み合わせてエステル化に供することができる。
【００２５】
更に、耐熱性、低粘度、低温流動性、及び粘度指数のバランスに優れる点で、直鎖状一価アルコールと分岐鎖状一価アルコールを併用することが好ましく、特に、ｎ−オクタノール及びｎ−ノナノールから選ばれる少なくとも１種の直鎖状一価アルコールと、２−エチルヘキサノール、イソノナノール及び３,５,５−トリメチルヘキサノールから選ばれる少なくとも１種の分岐鎖状一価アルコールを併用することが好ましい。具体的には、ｎ−オクタノール及び２−エチルヘキサノールの組み合わせ、ｎ−オクタノール及びイソノナノールの組み合わせ、ｎ−オクタノール及び３，５，５−トリメチルヘキサノールの組み合わせ、ｎ−ノナノール及び２−エチルヘキサノールの組み合わせ、ｎ−ノナノール及びイソノナノールの組み合わせ、ｎ−ノナノール及び３，５，５−トリメチルヘキサノールの組み合わせが例示される。なかでも、ｎ−オクタノールと２−エチルヘキサノールの組み合わせ、ｎ−オクタノールとイソノナノールの組み合わせが最も好ましい。
【００２６】
上記アルコール成分として、直鎖状の脂肪族飽和一価アルコール及び分岐鎖状の脂肪族飽和一価アルコールからなる混合一価アルコールを用いた場合、得られるジエステルには、１分子中に２種以上のアルコールに由来するエステル基を含む混基エステルが含まれる。例えば、アルコール成分としてとして、ｎ−オクタノール及び２−エチルヘキサノールを用いた場合、得られるジエステルには、
(i)ｎ−オクタノール及び２−エチルヘキサノールからなる混基エステル、
(ii)２−エチルヘキサノールからなるジエステル、及び
(iii)ｎ−オクタノールからなるジエステル、
が含まれる。
【００２７】
直鎖状の脂肪族飽和一価アルコールと、分岐鎖状の脂肪族飽和一価アルコールの使用比率は、特に制限が無く任意の比率で用いることできる。そのモル比率としては、得られるジエステルの耐熱性及び低温流動性に優れる点で、８０：２０〜２０：８０が好ましく、低温流動性及び金属適合性に優れる点で５０：５０〜０：１００が好ましい。また、生分解性に優れる点で、直鎖状の脂肪族飽和一価アルコール単独が好ましく、金属適合性に特に優れる点で、分岐鎖状の脂肪族飽和一価アルコール単独が好ましい。  
【００２８】
［エステル化反応］
エステル化反応を行うに際し、アルコール成分としては、例えば、酸成分１モルに対して２．０〜３．０モル、好ましくは２．０１〜２．５モル用いられる。
【００２９】
エステル化触媒としては、ルイス酸類、アルカリ金属類、スルホン酸類等が例示され、具体的にルイス酸としては、アルミニウム誘導体、錫誘導体、チタン誘導体が例示され、アルカリ金属類としては、ナトリウムアルコキシド、カリウムアルコキシド等が例示され、更にスルホン酸類としてはパラトルエンスルホン酸、メタンスルホン酸、硫酸等が例示される。触媒の使用量としては、例えば、原料である酸成分及びアルコール成分の総重量に対して０．０５〜１．０重量％程度用いられる。
【００３０】
エステル化反応は、通常１００〜２５０℃、好ましくは１２０〜２３０℃の反応温度で、不活性ガス雰囲気中、常圧又は減圧下のいずれでも行うことができる。また、反応時間としては、通常３〜３０時間である。必要に応じて、生成してくる水をベンゼン、トルエン、キシレン、シクロヘキサン等の非水溶性溶剤を用いて系外に共沸留去させてもよい。
【００３１】
又、本エステルは、脂肪族分岐鎖状二塩基酸１モルに対し、脂肪族飽和一価アルコールの１モルとを反応させて部分エステルを調製後、更に所定量の脂肪族飽和一価アルコールを加えて、段階的に目的とするジエステルを得ることもできる。
【００３２】
エステル化反応終了後、過剰の原料を減圧下または常圧下にて留去する。引き続き、慣用の精製方法、例えば、中和、水洗、液液抽出、減圧蒸留、活性炭等の吸着剤を用いて、本エステルを精製することができる。
【００３３】
特に、エステル化反応により得られたエステル化反応生成物を、そのまま或いは未反応のアルコール成分（水同伴剤を使用した場合は、水同伴剤）を留去した後、アルカリ洗浄に供するのが好ましい。これにより、残存する未反応の酸、末端にカルボキシル基を有する不純物、触媒等が除去され、金属適合性、耐熱性等に優れたエステルを得ることができる。
【００３４】
アルカリ洗浄に使用する洗浄液としては、水酸化ナトリウム、水酸化カリウム、水酸化リチウム等のアルカリ金属水酸化物、炭酸ナトリウム等のアルカリ金属炭酸塩等のアルカリの水溶液が例示でき、その濃度は特に限定されないが、０．５〜２０重量％程度が好ましい。アルカリ水溶液の使用量は反応終了後の反応生成物の全酸価に対して当量又は過剰となる量とするのが好ましい。アルカリ洗浄後の生成物は、中性となるまで水洗するのが好ましい。
【００３５】
本エステルの全酸価としては、通常０．１ｍｇＫＯＨ／ｇ以下、好ましくは０．０５ｍｇＫＯＨ／ｇ以下である。全酸価が０．１ｍｇＫＯＨ／ｇ以下のときには耐熱性が向上する。全酸価が０．１ｍｇＫＯＨ／ｇを超える場合は、適当な中和剤で全酸価を低減させることもできる。
【００３６】
本エステルの水酸基価（ＪＩＳ−Ｋ−００７０）としては、通常５ｍｇＫＯＨ／ｇ以下、好ましくは３ｍｇＫＯＨ／ｇ以下、更に好ましくは１ｍｇＫＯＨ／ｇ以下である。水酸基価が５ｍｇＫＯＨ／ｇ以下のときには耐熱性が向上する。水酸基価は、残存する水酸基を反応工程で十分に低減することにより調整可能である。
【００３７】
本エステルの硫酸灰分（ＪＩＳ−Ｋ−２２７２．５）としては、通常３０ｐｐｍ以下、好ましくは１０ｐｐｍ以下である。硫酸灰分が３０ｐｐｍ以下のときには耐熱性が向上する。硫酸灰分は、本エステルの原料となる酸及び／又はアルコールとして硫酸灰分が低いもの、例えば、３０ｐｐｍ以下のものを用い、又、触媒として金属触媒を使用した場合、触媒自身及び触媒由来の有機金属化合物を中和、水洗、吸着精製により十分に除去することで調整可能である。
【００３８】
本エステルのヨウ素価（ＪＩＳ−Ｋ−１５２５）としては、通常１．０以下、好ましくは０．５以下、更に好ましくは０．１以下である。ヨウ素価が１以下のときは耐熱性が向上する。ヨウ素価は、本エステルの原料となる酸成分及び／又はアルコール成分のヨウ素価が低いもの（例えば、０．３以下のもの）を用いることにより調整可能である。また、ヨウ素価が１以上の本エステルを水素還元することでも調整可能である。
【００３９】
本エステルの中でも、流動点（ＪＩＳ−Ｋ−２２６９）が−４０℃以下であるものが好ましく、より低温での使用に適する点で−５０℃以下が好ましく、６０℃以下であるものが最も好ましい。
【００４０】
本エステルの中でも、粘度指数（ＪＩＳ−Ｋ−２２８３）が１３０以上のものが好ましく、特に１３５以上のものが好ましく、１４５以上のものが最も好ましい。粘度指数が１００以上であるエステルは、広範囲の温度領域で低粘度であり、耐熱性にも優れる上、低温流動性及び金属適合性とのバランスにも優れる。
【００４１】
本エステルの中でも、４０℃における動粘度が５〜１５ｍｍ２／ｓであることが好ましく、更に、省電力性の点で４０℃における動粘度が５〜１０ｍｍ２／ｓであり、且つ、０℃における動粘度が１５〜５０ｍｍ２／ｓ、さらには、１５〜４５ｍｍ２／ｓ、特に１５〜４０ｍｍ２／ｓであることが好ましい。
【００４２】
本エステルの中でも、４０℃における動粘度が５〜１５ｍｍ２／ｓであり、粘度指数が１３０以上、流動点が−４０℃以下であるエステルが好ましく、更には、４０℃における動粘度が５〜１５ｍｍ２／ｓであり、粘度指数が１３５以上、流動点が−４０℃以下であるエステルがより好ましく、要求される物性により適宜選択される。特に低温流動性が要求される場合には、４０℃における粘度指数が５〜１５ｍｍ２／ｓであり、粘度指数が１２０以上、且つ流動点が−６０℃以下であるエステルが好ましく、より高い粘度指数が求められる場合には、４０℃における動粘度が５〜１５ｍｍ２／ｓであり、粘度指数１４５以上、且つ流動点が−４０℃以下であるエステルが好ましい。
【００４３】
［好ましい本エステル］  
本エステルの中でも、アルキル基（分枝）が１個か２個である脂肪族二塩基酸と炭素数７〜１０の直鎖若しくは分岐鎖状のアルキル基を有するアルコールからなるジエステルが好ましく、中でも、脂肪族二塩基酸の炭素数が４〜１０であるジエステルが好ましい。具体的には、２−メチルコハク酸、２−エチルコハク酸、２−メチルグルタル酸、３−メチルグルタル酸、２−エチルグルタル酸、３−エチルグルタル酸、２−メチルアジピン酸、３−メチルアジピン酸、２−エチルアジピン酸、３−エチルアジピン酸からなる群から選ばれる１種若しくは２種以上と、炭素数７〜１０の直鎖状又は分岐鎖状の脂肪族飽和一価アルコールとのジエステルが好ましい。その中でも、メチル基を１つ有する炭素数５〜７の脂肪族二塩基酸、具体的には、２−メチルコハク酸、２−メチルグルタル酸、３−メチルグルタル酸、２−メチルアジピン酸、３−メチルアジピン酸からなる群から選ばれる１種若しくは２種以上と、炭素数７〜１０の直鎖状又は分岐鎖状の脂肪族飽和一価アルコールとのジエステル、具体的には、２−メチルコハク酸ジ（ｎ−ヘプチル）、２−メチルコハク酸ジ（ｎ−オクチル）、２−メチルコハク酸ジ（ｎ−ノニル）、２−メチルコハク酸ジ（ｎ−デシル）、２−メチルコハク酸とｎ−ヘプタノール及びｎ−オクタノールとのジエステル、２−メチルコハク酸とｎ−ヘプタノール及びｎ−ノナノールとのジエステル、２−メチルコハク酸とｎ−ヘプタノール及びｎ−デカノールとのジエステル、２−メチルコハク酸とｎ−オクタノール及びｎ−ノナノールとのジエステル、２−メチルコハク酸とｎ−オクタノール及びｎ−デカノールとのジエステル、２−メチルコハク酸とｎ−ノナノール及びｎ−デカノールとのジエステル、２−メチルコハク酸ジ（イソヘプチル）、２−メチルコハク酸ジ（イソオクチル）、２−メチルコハク酸ジ（２−エチルヘキシル）、２−メチルコハク酸ジ（イソノニル）、２−メチルコハク酸ジ（３，５，５−トリメチルヘキシル）、２−メチルコハク酸ジ（イソデシル）、２−メチルコハク酸とイソヘプタノール及びイソオクタノールとのジエステル、２−メチルコハク酸とイソヘプタノール及び２−エチルヘキサノールとのジエステル、２−メチルコハク酸とイソヘプタノール及びイソノナノールとのジエステル、２−メチルコハク酸とイソヘプタノール及び３，５，５−トリメチルヘキサノールとのジエステル、２−メチルコハク酸とイソヘプタノール及びイソデカノールとのジエステル、２−メチルコハク酸とイソオクタノール及び２−エチルヘキサノールとのジエステル、２−メチルコハク酸とイソオクタノール及びイソノナノールとのジエステル、２−メチルコハク酸とイソオクタノール及び３，５，５−トリメチルヘキサノールとのジエステル、２−メチルコハク酸とイソオクタノール及びイソデカノールとのジエステル、２−メチルコハク酸と２−エチルヘキサノール及びイソノナノールとのジエステル、２−メチルコハク酸と２−エチルヘキサノール及び３，５，５−トリメチルヘキサノールとのジエステル、２−メチルコハク酸と２−エチルヘキサノール及びイソデカノールとのジエステル、２−メチルコハク酸とイソノナノール及び３，５，５−トリメチルヘキサノールとのジエステル、２−メチルコハク酸とイソノナノール及びイソデカノールとのジエステル、２−メチルコハク酸と３，５，５−トリメチルヘキサノール及びイソデカノールとのジエステル、２−メチルコハク酸とｎ−ヘプタノール及びイソヘプタノールとのジエステル、２−メチルコハク酸とｎ−ヘプタノール及びイソオクタノールとのジエステル、２−メチルコハク酸とｎ−ヘプタノール及び２−エチルヘキサノールとのジエステル、２−メチルコハク酸とｎ−ヘプタノール及びイソノナノールとのジエステル、２−メチルコハク酸とｎ−ヘプタノール及び３，５，５−トリメチルヘキサノールとのジエステル、２−メチルコハク酸とｎ−ヘプタノール及びイソデカノールとのジエステル、２−メチルコハク酸とｎ−オクタノール及びイソヘプタノールとのジエステル、２−メチルコハク酸とｎ−オクタノール及びイソオクタノールとのジエステル、２−メチルコハク酸とｎ−オクタノール及び２−エチルヘキサノールとのジエステル、２−メチルコハク酸とｎ−オクタノール及びイソノナノールとのジエステル、２−メチルコハク酸とｎ−オクタノール及び３，５，５−トリメチルヘキサノールとのジエステル、２−メチルコハク酸とｎ−オクタノール及びイソデカノールとのジエステル、２−メチルコハク酸とｎ−ノナノール及びイソヘプタノールとのジエステル、２−メチルコハク酸とｎ−ノナノール及びイソオクタノールとのジエステル、２−メチルコハク酸とｎ−ノナノール及び２−エチルヘキサノールとのジエステル、２−メチルコハク酸とｎ−ノナノール及びイソノナノールとのジエステル、２−メチルコハク酸とｎ−ノナノール及び３，５，５−トリメチルヘキサノールとのジエステル、２−メチルコハク酸とｎ−ノナノール及びイソデカノールとのジエステル、２−メチルコハク酸とｎ−デカノール及びイソヘプタノールとのジエステル、２−メチルコハク酸とｎ−デカノール及びイソオクタノールとのジエステル、２−メチルコハク酸とｎ−デカノール及び２−エチルヘキサノールとのジエステル、２−メチルコハク酸とｎ−デカノール及びイソノナノールとのジエステル、２−メチルコハク酸とｎ−デカノール及び３，５，５−トリメチルヘキサノールとのジエステル、２−メチルコハク酸とｎ−デカノール及びイソデカノールとのジエステル、２−メチルグルタル酸ジ（ｎ−ヘプチル）、２−メチルグルタル酸ジ（ｎ−オクチル）、２−メチルグルタル酸ジ（ｎ−ノニル）、２−メチルグルタル酸ジ（ｎ−デシル）、２−メチルグルタル酸とｎ−ヘプタノール及びｎ−オクタノールとのジエステル、２−メチルグルタル酸とｎ−ヘプタノール及びｎ−ノナノールとのジエステル、２−メチルグルタル酸とｎ−ヘプタノール及びｎ−デカノールとのジエステル、２−メチルグルタル酸とｎ−オクタノール及びｎ−ノナノールとのジエステル、２−メチルグルタル酸とｎ−オクタノール及びｎ−デカノールとのジエステル、２−メチルグルタル酸とｎ−ノナノール及びｎ−デカノールとのジエステル、２−メチルグルタル酸ジ（イソヘプチル）、２−メチルグルタル酸ジ（イソオクチル）、２−メチルグルタル酸ジ（２−エチルヘキシル）、２−メチルグルタル酸ジ（イソノニル）、２−メチルグルタル酸ジ（３，５，５−トリメチルヘキシル）、２−メチルグルタル酸ジ（イソデシル）、  ２−メチルグルタル酸とイソヘプタノール及びイソオクタノールとのジエステル、２−メチルグルタル酸とイソヘプタノール及び２−エチルヘキサノールとのジエステル、２−メチルグルタル酸とイソヘプタノール及びイソノナノールとのジエステル、２−メチルグルタル酸とイソヘプタノール及び３，５，５−トリメチルヘキサノールとのジエステル、２−メチルグルタル酸とイソヘプタノール及びイソデカノールとのジエステル、２−メチルグルタル酸とイソオクタノール及び２−エチルヘキサノールとのジエステル、２−メチルグルタル酸とイソオクタノール及びイソノナノールとのジエステル、２−メチルグルタル酸とイソオクタノール及び３，５，５−トリメチルヘキサノールとのジエステル、２−メチルグルタル酸とイソオクタノール及びイソデカノールとのジエステル、２−メチルグルタル酸と２−エチルヘキサノール及びイソノナノールとのジエステル、２−メチルグルタル酸と２−エチルヘキサノール及び３，５，５−トリメチルヘキサノールとのジエステル、２−メチルグルタル酸と２−エチルヘキサノール及びイソデカノールとのジエステル、２−メチルグルタル酸とイソノナノール及び３，５，５−トリメチルヘキサノールとのジエステル、２−メチルグルタル酸とイソノナノール及びイソデカノールとのジエステル、２−メチルグルタル酸と３，５，５−トリメチルヘキサノール及びイソデカノールとのジエステル、２−メチルグルタル酸とｎ−ヘプタノール及びイソヘプタノールとのジエステル、２−メチルグルタル酸とｎ−ヘプタノール及びイソオクタノールとのジエステル、２−メチルグルタル酸とｎ−ヘプタノール及び２−エチルヘキサノールとのジエステル、２−メチルグルタル酸とｎ−ヘプタノール及びイソノナノールとのジエステル、２−メチルグルタル酸とｎ−ヘプタノール及び３，５，５−トリメチルヘキサノールとのジエステル、２−メチルグルタル酸とｎ−ヘプタノール及びイソデカノールとのジエステル、２−メチルグルタル酸とｎ−オクタノール及びイソヘプタノールとのジエステル、２−メチルグルタル酸とｎ−オクタノール及びイソオクタノールとのジエステル、２−メチルグルタル酸とｎ−オクタノール及び２−エチルヘキサノールとのジエステル、２−メチルグルタル酸とｎ−オクタノール及びイソノナノールとのジエステル、２−メチルグルタル酸とｎ−オクタノール及び３，５，５−トリメチルヘキサノールとのジエステル、２−メチルグルタル酸とｎ−オクタノール及びイソデカノールとのジエステル、２−メチルグルタル酸とｎ−ノナノール及びイソヘプタノールとのジエステル、２−メチルグルタル酸とｎ−ノナノール及びイソオクタノールとのジエステル、２−メチルグルタル酸とｎ−ノナノール及び２−エチルヘキサノールとのジエステル、２−メチルグルタル酸とｎ−ノナノール及びイソノナノールとのジエステル、２−メチルグルタル酸とｎ−ノナノール及び３，５，５−トリメチルヘキサノールとのジエステル、２−メチルグルタル酸とｎ−ノナノール及びイソデカノールとのジエステル、２−メチルグルタル酸とｎ−デカノール及びイソヘプタノールとのジ���ステル、２−メチルグルタル酸とｎ−デカノール及びイソオクタノールとのジエステル、２−メチルグルタル酸とｎ−デカノール及び２−エチルヘキサノールとのジエステル、２−メチルグルタル酸とｎ−デカノール及びイソノナノールとのジエステル、２−メチルグルタル酸とｎ−デカノール及び３，５，５−トリメチルヘキサノールとのジエステル、２−メチルグルタル酸とｎ−デカノール及びイソデカノールとのジエステル、３−メチルグルタル酸ジ（ｎ−ヘプチル）、３−メチルグルタル酸ジ（ｎ−オクチル）、３−メチルグルタル酸ジ（ｎ−ノニル）、３−メチルグルタル酸ジ（ｎ−デシル）、３−メチルグルタル酸とｎ−ヘプタノール及びｎ−オクタノールとのジエステル、３−メチルグルタル酸とｎ−ヘプタノール及びｎ−ノナノールとのジエステル、３−メチルグルタル酸とｎ−ヘプタノール及びｎ−デカノールとのジエステル、３−メチルグルタル酸とｎ−オクタノール及びｎ−ノナノールとのジエステル、３−メチルグルタル酸とｎ−オクタノール及びｎ−デカノールとのジエステル、３−メチルグルタル酸とｎ−ノナノール及びｎ−デカノールとのジエステル、３−メチルグルタル酸ジ（イソヘプチル）、３−メチルグルタル酸ジ（イソオクチル）、３−メチルグルタル酸ジ（２−エチルヘキシル）、３−メチルグルタル酸ジ（イソノニル）、３−メチルグルタル酸ジ（３，５，５−トリメチルヘキシル）、３−メチルグルタル酸ジ（イソデシル）、３−メチルグルタル酸とイソヘプタノール及びイソオクタノールとのジエステル、３−メチルグルタル酸とイソヘプタノール及び２−エチルヘキサノールとのジエステル、３−メチルグルタル酸とイソヘプタノール及びイソノナノールとのジエステル、３−メチルグルタル酸とイソヘプタノール及び３，５，５−トリメチルヘキサノールとのジエステル、３−メチルグルタル酸とイソヘプタノール及びイソデカノールとのジエステル、３−メチルグルタル酸とイソオクタノール及び２−エチルヘキサノールとのジエステル、３−メチルグルタル酸とイソオクタノール及びイソノナノールとのジエステル、３−メチルグルタル酸とイソオクタノール及び３，５，５−トリメチルヘキサノールとのジエステル、３−メチルグルタル酸とイソオクタノール及びイソデカノールとのジエステル、３−メチルグルタル酸と２−エチルヘキサノール及びイソノナノールとのジエステル、３−メチルグルタル酸と２−エ
チルヘキサノール及び３，５，５−トリメチルヘキサノールとのジエステル、３−メチルグルタル酸と２−エチルヘキサノール及びイソデカノールとのジエステル、３−メチルグルタル酸とイソノナノール及び３，５，５−トリメチルヘキサノールとのジエステル、３−メチルグルタル酸とイソノナノール及びイソデカノールとのジエステル、３−メチルグルタル酸と３，５，５−トリメチルヘキサノール及びイソデカノールとのジエステル、３−メチルグルタル酸とｎ−ヘプタノール及びイソヘプタノールとのジエステル、３−メチルグルタル酸とｎ−ヘプタノール及びイソオクタノールとのジエステル、３−メチルグルタル酸とｎ−ヘプタノール及び２−エチルヘキサノールとのジエステル、３−メチルグルタル酸とｎ−ヘプタノール及びイソノナノールとのジエステル、３−メチルグルタル酸とｎ−ヘプタノール及び３，５，５−トリメチルヘキサノールとのジエステル、３−メチルグルタル酸とｎ−ヘプタノール及びイソデカノールとのジエステル、３−メチルグルタル酸とｎ−オクタノール及びイソヘプタノールとのジエステル、３−メチルグルタル酸とｎ−オクタノール及びイソオクタノールとのジエステル、３−メチルグルタル酸とｎ−オクタノール及び２−エチルヘキサノールとのジエステル、３−メチルグルタル酸とｎ−オクタノール及びイソノナノールとのジエステル、３−メチルグルタル酸とｎ−オクタノール及び３，５，５−トリメチルヘキサノールとのジエステル、３−メチルグルタル酸とｎ−オクタノール及びイソデカノールとのジエステル、３−メチルグルタル酸とｎ−ノナノール及びイソヘプタノールとのジエステル、３−メチルグルタル酸とｎ−ノナノール及びイソオクタノールとのジエステル、３−メチルグルタル酸とｎ−ノナノール及び２−エチルヘキサノールとのジエステル、３−メチルグルタル酸とｎ−ノナノール及びイソノナノールとのジエステル、３−メチルグルタル酸とｎ−ノナノール及び３，５，５−トリメチルヘキサノールとのジエステル、３−メチルグルタル酸とｎ−ノナノール及びイソデカノールとのジエステル、３−メチルグルタル酸とｎ−デカノール及びイソヘプタノールとのジエステル、３−メチルグルタル酸とｎ−デカノール及びイソオクタノールとのジエステル、３−メチルグルタル酸とｎ−デカノール及び２−エチルヘキサノールとのジエステル、３−メチルグルタル酸とｎ−デカノール及びイソノナノールとのジエステル、３−メチルグルタル酸とｎ−デカノール及び３，５，５−トリメチルヘキサノールとのジエステル、３−メチルグルタル酸とｎ−デカノール及びイソデカノールとのジエステル、２−メチルアジピン酸ジ（ｎ−ヘプチル）、２−メチルアジピン酸ジ（ｎ−オクチル）、２−メチルアジピン酸ジ（ｎ−ノニル）、２−メチルアジピン酸ジ（ｎ−デシル）、２−メチルアジピン酸とｎ−ヘプタノール及びｎ−オクタノールとのジエステル、２−メチルアジピン酸とｎ−ヘプタノール及びｎ−ノナノールとのジエステル、２−メチルアジピン酸とｎ−ヘプタノール及びｎ−デカノールとのジエステル、２−メチルアジピン酸とｎ−オクタノール及びｎ−ノナノールとのジエステル、２−メチルアジピン酸とｎ−オクタノール及びｎ−デカノールとのジエステル、２−メチルアジピン酸とｎ−ノナノール及びｎ−デカノールとのジエステル、２−メチルアジピン酸ジ（イソヘプチル）、２−メチルアジピン酸ジ（イソオクチル）、２−メチルアジピン酸ジ（２−エチルヘキシル）、２−メチルアジピン酸ジ（イソノニル）、２−メチルアジピン酸ジ（３，５，５−トリメチルヘキシル）、２−メチルアジピン酸ジ（イソデシル）、２−メチルアジピン酸とイソヘプタノール及びイソオクタノールとのジエステル、２−メチルアジピン酸とイソヘプタノール及び２−エチルヘキサノールとのジエステル、２−メチルアジピン酸とイソヘプタノール及びイソノナノールとのジエステル、２−メチルアジピン酸とイソヘプタノール及び３，５，５−トリメチルヘキサノールとのジエステル、２−メチルアジピン酸とイソヘプタノール及びイソデカノールとのジエステル、２−メチルアジピン酸とイソオクタノール及び２−エチルヘキサノールとのジエステル、２−メチルアジピン酸とイソオクタノール及びイソノナノールとのジエステル、２−メチルアジピン酸とイソオクタノール及び３，５，５−トリメチルヘキサノールとのジエステル、２−メチルアジピン酸とイソオクタノール及びイソデカノールとのジエステル、２−メチルアジピン酸と２−エチルヘキサノール及びイソノナノールとのジエステル、２−メチルアジピン酸と２−エチルヘキサノール及び３，５，５−トリメチルヘキサノールとのジエステル、２−メチルアジピン酸と２−エチルヘキサノール及びイソデカノールとのジエステル、２−メチルアジピン酸とイソノナノール及び３，５，５−トリメチルヘキサノールとのジエステル、２−メチルアジピン酸とイソノナノール及びイソデカノールとのジエステル、２−メチルアジピン酸と３，５，５−トリメチルヘキサノール及びイソデカノールとのジエステル、２−メチルアジピン酸とｎ−ヘプタノール及びイソヘプタノールとのジエステル、２−メチルアジピン酸とｎ−ヘプタノール及びイソオクタノールとのジエステル、２−メチルアジピン酸とｎ−ヘプタノール及び２−エチルヘキサノールとのジエステル、２−メチルアジピン酸とｎ−ヘプタノール及びイソノナノールとのジエステル、２−メチルアジピン酸とｎ−ヘプタノール及び３，５，５−トリメチルヘキサノールとのジエステル、２−メチルアジピン酸とｎ−ヘプタノール及びイソデカノールとのジエステル、２−メチルアジピン酸とｎ−オクタノール及びイソヘプタノールとのジエステル、２−メチルアジピン酸とｎ−オクタノール及びイソオクタノールとのジエステル、２−メチルアジピン酸とｎ−オクタノール及び２−エチルヘキサノールとのジエステル、２−メチルアジピン酸とｎ−オクタノール及びイソノナノールとのジエステル、２−メチルアジピン酸とｎ−オクタノール及び３，５，５−トリメチルヘキサノールとのジエステル、２−メチルアジピン酸とｎ−オクタノール及びイソデカノールとのジエステル、２−メチルアジピン酸とｎ−ノナノール及びイソヘプタノールとのジエステル、２−メチルアジピン酸とｎ−ノナノール及びイソオクタノールとのジエステル、２−メチルアジピン酸とｎ−ノナノール及び２−エチルヘキサノールとのジエステル、２−メチルアジピン酸とｎ−ノナノール及びイソノナノールとのジエステル、２−メチルアジピン酸とｎ−ノナノール及び３，５，５−トリメチルヘキサノールとのジエステル、２−メチルアジピン酸とｎ−ノナノール及びイソデカノールとのジエステル、２−メチルアジピン酸とｎ−デカノール及びイソヘプタノールとのジエステル、２−メチルアジピン酸とｎ−デカノール及びイソオクタノールとのジエステル、２−メチルアジピン酸とｎ−デカノール及び２−エチルヘキサノールとのジエステル、２−メチルアジピン酸とｎ−デカノール及びイソノナノールとのジエステル、２−メチルアジピン酸とｎ−デカノール及び３，５，５−トリメチルヘキサノールとのジエステル、２−メチルアジピン酸とｎ−デカノール及びイソデカノールとのジエステル、３−メチルアジピン酸ジ（ｎ−ヘプチル）、３−メチルアジピン酸ジ（ｎ−オクチル）、３−メチルアジピン酸ジ（ｎ−ノニル）、３−メチルアジピン酸ジ（ｎ−デシル）、３−メチルアジピン酸とｎ−ヘプタノール及びｎ−オクタノールとのジエステル、３−メチルアジピン酸とｎ−ヘプタノール及びｎ−ノナノールとのジエステル、３−メチルアジピン酸とｎ−ヘプタノール及びｎ−デカノールとのジエステル、３−メチルアジピン酸とｎ−オクタノール及びｎ−ノナノールとのジエステル、３−メチルアジピン酸とｎ−オクタノール及びｎ−デカノールとのジエステル、３−メチルアジピン酸とｎ−ノナノール及びｎ−デカノールとのジエステル、３−メチルアジピン酸ジ（イソヘプチル）、３−メチルアジピン酸ジ（イソオクチル）、３−メチルアジピン酸ジ（２−エチルヘキシル）、３−メチルアジピン酸ジ（イソノニル）、３−メチルアジピン酸ジ（３，５，５−トリメチルヘキシル）、３−メチルアジピン酸ジ（イソデシル）、３−メチルアジピン酸とイソヘプタノール及びイソオクタノールとのジエステル、３−メチルアジピン酸とイソヘプタノール及び２−エチルヘキサノールとのジエステル、３−メチルアジピン酸とイソヘプタノール及びイソノナノールとのジエステル、３−メチルアジピン酸とイソヘプタノール及び３，５，５−トリメチルヘキサノールとのジエステル、３−メチルアジピン酸とイソヘプタノール及びイソデカノールとのジエステル、３−メチルアジピン酸とイソオクタノール及び２−エチルヘキサノールとのジエステル、３−メチルアジピン酸とイソオクタノール及びイソノナノールとのジエステル、３−メチルアジピン酸とイソオクタノール及び３，５，５−トリメチルヘキサノールとのジエステル、３−メチルアジピン酸とイソオクタノール及びイソデカノールとのジエステル、３−メチルアジピン酸と２−エチルヘキサノール及びイソノナノールとのジエステル、３−メチルアジピン酸と２−エチルヘキサノール及び３，５，５−トリメチルヘキサノールとのジエステル、３−メチルアジピン酸と２−エチルヘキサノール及びイソデカノールとのジエステル、３−メチルアジピン酸とイソノナノール及び３，５，５−トリメチルヘキサノールとのジエステル、３−メチルアジピン酸とイソノナノール及びイソデカノールとのジエステル、３−メチルアジピン酸と３，５，５−トリメチルヘキサノール及びイソデカノールとのジエステル、３−メチルアジピン酸とｎ−ヘプタノール及びイソヘプタノールとのジエステル、３−メチルアジピン酸とｎ−ヘプタノール及びイソオクタノールとのジエステル、３−メチルアジピン酸とｎ−ヘプタノール及び２−エチルヘキサノールとのジエステル、３−メチルアジピン酸とｎ−ヘプタノール及びイソノナノールとのジエステル、３−メチルアジピン酸とｎ−ヘプタノール及び３，５，５−トリメチルヘキサノールとのジエステル、３−メチルアジピン酸とｎ−ヘプタノール及びイソデカノールとのジエステル、３−メチルアジピン酸とｎ−オクタノール及びイソヘプタノールとのジエステル、３−メチルアジピン酸とｎ−オクタノール及びイソオクタノールとのジエステル、３−メチルアジピン酸とｎ−オクタノール及び２−エチルヘキサノールとのジエステル、３−メチルアジピン酸とｎ−オクタノール及びイソノナノールとのジエステル、３−メチルアジピン酸とｎ−オクタノール及び３，５，５−トリメチルヘキサノールとのジエステル、３−メチルアジピン酸とｎ−オクタノール及びイソデカノールとのジエステル、３−メチルアジピン酸とｎ−ノナノール及びイソヘプタノールとのジエステル、３−メチルアジピン酸とｎ−ノナノール及びイソオクタノールとのジエステル、３−メチルアジピン酸とｎ−ノナノール及び２−エチルヘキサノールとのジエステル、３−メチルアジピン酸とｎ−ノナノール及びイソノナノールとのジエステル、３−メチルアジピン酸とｎ−ノナノール及び３，５，５−トリメチルヘキサノールとのジエステル、３−メチルアジピン酸とｎ−ノナノール及びイソデカノールとのジエステル、３−メチルアジピン酸とｎ−デカノール及びイソヘプタノールとのジエステル、３−メチルアジピン酸とｎ−デカノール及びイソオクタノールとのジエステル、３−メチルアジピン酸とｎ−デカノール及び２−エチルヘキサノールとのジエステル、３−メチルアジピン酸とｎ−デカノール及びイソノナノールとのジエステル、３−メチルアジピン酸とｎ−デカノール及び３，５，５−トリメチルヘキサノールとのジエステル、３−メチルアジピン酸とｎ−デカノール及びイソデカノールとのジエステルがより好ましい。
【００４４】
更には、炭素数が７であり、カルボキシル基に隣接しないメチル基を１つ有する脂肪族二塩基酸、具体的には、３−メチルアジピン酸と炭素数７〜１０の直鎖状又は分岐鎖状の脂肪族飽和一価アルコールとのジエステルが好ましい。
【００４５】
なかでも、耐熱性と低粘度、粘度指数に優れる点で、炭素数７〜１０の直鎖状の脂肪族飽和一価アルコールとのジエステルが好ましい。具体的には、３−メチルアジピン酸ジ（ｎ−ヘプチル）、３−メチルアジピン酸ジ（ｎ−オクチル）、３−メチルアジピン酸ジ（ｎ−ノニル）、３−メチルアジピン酸ジ（ｎ−デシル）が例示される。
【００４６】
炭素数７〜１０の直鎖状の脂肪族飽和一価アルコールを２種用いたジエステルとしては、３−メチルアジピン酸とｎ−ヘプタノール及びｎ−オクタノールとのジエステル、３−メチルアジピン酸とｎ−ヘプタノール及びｎ−ノナノールとのジエステル、３−メチルアジピン酸とｎ−ヘプタノール及びｎ−デカノールとのジエステル、３−メチルアジピン酸とｎ−オクタノール及びｎ−ノナノールとのジエステル、３−メチルアジピン酸とｎ−オクタノール及びｎ−デカノールとのジエステル、３−メチルアジピン酸とｎ−ノナノール及びｎ−デカノールとのジエステルが例示される。なかでも、３−メチルアジピン酸とｎ−ヘプタノール及びｎ−オクタノールとのジエステルが特に推奨される。
【００４７】
又、低温流動性と金属適合性に優れる点で、炭素数７〜１０の分岐鎖状の脂肪族飽和一価アルコールとのジエステルが好ましく、３−メチルアジピン酸ジイソヘプチル、３−メチルアジピン酸ジイソオクチル、３−メチルアジピン酸ジ（２−エチルヘキシル）、３−メチルアジピン酸ジイソノニル、３−メチルアジピン酸ジ（３，５，５−トリメチルヘキシル）、３−メチルアジピン酸ジイソデシルが例示される。なかでも、３−メチルアジピン酸ジ（２−エチルヘキシル）、３−メチルアジピン酸ジイソノニルが特に推奨される。
【００４８】
炭素数７〜１０の分岐鎖状の脂肪族飽和一価アルコールを２種用いたジエステルとしては、３−メチルアジピン酸とイソヘプタノール及びイソオクタノールとのジエステル、３−メチルアジピン酸とイソヘプタノール及び２−エチルヘキサノールとのジエステル、３−メチルアジピン酸とイソヘプタノール及びイソノナノールとのジエステル、３−メチルアジピン酸とイソヘプタノール及び３，５，５−トリメチルヘキサノールとのジエステル、３−メチルアジピン酸とイソヘプタノール及びイソデカノールとのジエステル、３−メチルアジピン酸とイソオクタノール及び２−エチルヘキサノールとのジエステル、３−メチルアジピン酸とイソオクタノール及びイソノナノールとのジエステル、３−メチルアジピン酸とイソオクタノール及び３，５，５−トリメチルヘキサノールとのジエステル、３−メチルアジピン酸とイソオクタノール及びイソデカノールとのジエステル、３−メチルアジピン酸と２−エチルヘキサノール及びイソノナノールとのジエステル、３−メチルアジピン酸と２−エチルヘキサノール及び３，５，５−トリメチルヘキサノールとのジエステル、３−メチルアジピン酸と２−エチルヘキサノール及びイソデカノールとのジエステル、３−メチルアジピン酸とイソノナノール及び３，５，５−トリメチルヘキサノールとのジエステル、３−メチルアジピン酸とイソノナノール及びイソデカノールとのジエステル、３−メチルアジピン酸と３，５，５−トリメチルヘキサノール及びイソデカノールとのジエステルが例示される。なかでも、３−メチルアジピン酸と２−エチルヘキサノール及びイソノナノールとのジエステルが特に推奨される。
【００４９】
更に、耐熱性、低粘度、低温流動性、粘度指数、及び金属適合性のバランスに優れる点で、炭素数７〜１０の直鎖状及び分岐鎖状の脂肪族飽和一価アルコールとのジエステルが好ましく、３−メチルアジピン酸とｎ−ヘプタノール及びイソヘプタノールとのジエステル、３−メチルアジピン酸とｎ−ヘプタノール及びイソオクタノールとのジエステル、３−メチルアジピン酸とｎ−ヘプタノール及び２−エチルヘキサノールとのジエステル、３−メチルアジピン酸とｎ−ヘプタノール及びイソノナノールとのジエステル、３−メチルアジピン酸とｎ−ヘプタノール及び３，５，５−トリメチルヘキサノールとのジエステル、３−メチルアジピン酸とｎ−ヘプタノール及びイソデカノールとのジエステル、３−メチルアジピン酸とｎ−オクタノール及びイソヘプタノールとのジエステル、３−メチルアジピン酸とｎ−オクタノール及びイソオクタノールとのジエステル、３−メチルアジピン酸とｎ−オクタノール及び２−エチルヘキサノールとのジエステル、３−メチルアジピン酸とｎ−オクタノール及びイソノナノールとのジエステル、３−メチルアジピン酸とｎ−オクタノール及び３，５，５−トリメチルヘキサノールとのジエステル、３−メチルアジピン酸とｎ−オクタノール及びイソデカノールとのジエステル、３−メチルアジピン酸とｎ−ノナノール及びイソヘプタノールとのジエステル、３−メチルアジピン酸とｎ−ノナノール及びイソオクタノールとのジエステル、３−メチルアジピン酸とｎ−ノナノール及び２−エチルヘキサノールとのジエステル、３−メチルアジピン酸とｎ−ノナノール及びイソノナノールとのジエステル、３−メチルアジピン酸とｎ−ノナノール及び３，５，５−トリメチルヘキサノールとのジエステル、３−メチルアジピン酸とｎ−ノナノール及びイソデカノールとのジエステル、３−メチルアジピン酸とｎ−デカノール及びイソヘプタノールとのジエステル、３−メチルアジピン酸とｎ−デカノール及びイソオクタノールとのジエステル、３−メチルアジピン酸とｎ−デカノール及び２−エチルヘキサノールとのジエステル、３−メチルアジピン酸とｎ−デカノール及びイソノナノールとのジエステル、３−メチルアジピン酸とｎ−デカノール及び３，５，５−トリメチルヘキサノールとのジエステル、３−メチルアジピン酸とｎ−デカノール及びイソデカノールとのジエステルが例示される。なかでも、３−メチルアジピン酸とｎ−オクタノール及び２−エチルヘキサノールとのジエステル、３−メチルアジピン酸とｎ−オクタノール及びイソノナノールとのジエステルが特に推奨される。
【００５０】
上記好ましいエステルの中でも、総炭素数が１８〜３０のエステルが好ましく、特に、総炭素数が２１〜３０のエステルが好ましい。総炭素数が２３〜３０のエステルは耐熱性に優れる傾向があるため好ましく、総炭素数が１８〜２４のエステルは低温流動性に優れる傾向があるため好ましい。両方のバランスに優れる点で、総炭素数２３〜２４のエステルが推奨される。
【００５１】
［軸受用潤滑油］
本発明の軸受用潤滑油は、本エステルを潤滑油基油として含む潤滑油であるか、又は本エステルと他の基油（以下、「併用基油」という。）との混合物を基油として含む潤滑油であり、該潤滑油基油に対して、本エステルの少なくとも１種を、１５〜１００重量部、好ましくは４０〜１００重量％、更に好ましくは６０〜１００重量％、特に好ましくは８０〜１００重量％含有する。
【００５２】
上記併用基油としては、鉱物油（石油の精製によって得られる炭化水素油）、ポリ−α−オレフィン、ポリブテン、アルキルベンゼン、アルキルナフタレン、脂環式炭化水素油、フィッシャートロプシュ法（Fischer-Tropsch process）によって得られる合成炭化水素の異性化油などの合成炭化水素油、動植物油、本エステル以外の有機酸エステル、ポリアルキレングリコール、ポリビニルエーテル、ポリフェニルエーテル、アルキルフェニルエーテル、シリコーン油が例示され、係る併用基油の少なくとも１種を適宜併用することができる。
【００５３】
鉱物油としては、溶剤精製鉱油、水素化精製鉱油、ワックス異性化油が挙げられるが、通常、１００℃における動粘度が１．０〜２５ｍｍ２／ｓ、好ましくは２．０〜２０．０ｍｍ２／ｓの範囲にあるものが用いられる。
【００５４】
ポリ−α−オレフィンとしては、炭素数２〜１６のα−オレフィン（例えばエチレン、プロピレン、１−ブテン、１−ヘキセン、１−オクテン、１−デセン、１−ドデセン、１−テトラデセン、１ーヘキサデセン等）の重合体又は共重合体であって、１００℃における動粘度が１．０〜２５ｍｍ２／ｓ、粘度指数が１００以上のものが例示され、特に１００℃における動粘度が１．５〜２０．０ｍｍ２／ｓで、粘度指数が１２０以上のものが好ましい。
【００５５】
ポリブテンとしては、イソブチレンを重合したもの、イソブチレンをノルマルブチレンと共重合したものがあり、一般に１００℃の動粘度が２．０〜４０ｍｍ２／ｓの広範囲のものが挙げられる。
【００５６】
アルキルベンゼンとしては、炭素数１〜４０の直鎖又は分岐のアルキル基で置換された、分子量が２００〜４５０であるモノアルキルベンゼン、ジアルキルベンゼン、トリアルキルベンゼン、テトラアルキルベンゼン等が例示される。
【００５７】
アルキルナフタレンとしては、炭素数１〜３０の直鎖又は分岐のアルキル基で置換されたモノアルキルナフタレン、ジアルキルナフタレン等が例示される。
【００５８】
動植物油としては、牛脂、豚脂、パーム油、ヤシ油、ナタネ油、ヒマシ油、ヒマワリ油等が例示される。
【００５９】
本エステル以外の有機酸エステルとしては、脂肪酸モノエステル、脂肪族直鎖二塩基酸ジエステル、ポリオールエステル及びその他のエステルが例示される。
【００６０】
脂肪酸モノエステルとしては、炭素数５〜２２の脂肪族直鎖状又は分岐鎖状モノカルボン酸と炭素数３〜２２の直鎖状又は分岐鎖状の飽和若しくは不飽和の脂肪族アルコールとのエステルが挙げられる。
【００６１】
脂肪族二塩基酸ジエステルとしては、シュウ酸、マロン酸、コハク酸、グルタル酸、アジピン酸、ピメリン酸、スベリン酸、アゼライン酸、セバシン酸、１，９−ノナメチレンジカルボン酸、１，１０−デカメチレンジカルボン酸等脂肪族二塩基酸若しくはその無水物と炭素数３〜２２の直鎖状又は分岐鎖状の飽和若しくは不飽和の脂肪族アルコールとのフルエステルが挙げられる。
【００６２】
ポリオールエステルとしては、ネオペンチルグリコール、２，２−ジエチルプロパンジオール、２−ブチル２−エチルプロパンンジオール、トリメチロールエタン、トリメチロールプロパン、ペンタエリスリトール、ジトリメチロールプロパン、ジペンタエリスリトール等のネオペンチル型構造のポリオール、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、
１，２−プロパンジオール、２−メチル−１，３−プロパンジオール、１，３−ブタンジオール、２−メチル−１，４−ブタンジオール、１，４−ペンタンジオール、２−メチル−１，５−ペンタンジオール、３−メチル−１，５−ペンタンジオール、１，５−ヘキサンジオール、
２−メチル−１，６−ヘキサンジオール、３−メチル−１，６−ヘキサンジオール、１，６−ヘプタンジオール、２−メチル−１，７−ヘプタンジオール、３−メチル−１，７−ヘプタンジオール、４−メチル−１，７−ヘプタンジオール、１，７−オクタンジオール、２−メチル−１，８−オクタンジオール、３−メチル−１，８−オクタンジオール、４−メチル−１，８−オクタンジオール、１，８−ノナンジオール、２−メチル−１，９−ノナンジオール、３−メチル−１，９−ノナンジオール、４−メチル−１，９−ノナンジオール、５−メチル−１，９−ノナンジオール、２−エチル−１，３−ヘキサンジオール、２，４−ジエチル−１，５−ペンタンジオール、グリセリン、ポリグリセリン、ソルビトール等の非ネオペンチル型構造のポリオールと炭素数３〜２２の直鎖状及び／又は分岐鎖状の飽和又は不飽和の脂肪酸とのフルエステルを使用することが可能である。
【００６３】
その他のエステルとしては、ダイマー酸、水添ダイマー酸などの重合脂肪酸、或いは、縮合ヒマシ油脂肪酸、水添縮合ヒマシ油脂肪酸などのヒドロキシ脂肪酸と炭素数３〜２２の直鎖状若しくは分岐鎖状の飽和又は不飽和の脂肪族アルコールとのエステルが挙げられる。
【００６４】
ポリアルキレングリコールとしては、アルコールと炭素数２〜４の直鎖状若しくは分岐鎖状のアルキレンオキサイドの開環重合体が例示される。アルキレンオキサイドとしてはエチレンオキサイド、プロピレンオキサイド、ブチレンオキサイドが挙げられ、これらの１種を用いた重合体、若しくは２種以上の混合物を用いた共重合体が使用可能である。又、片端又は両端の水酸基部分がエーテル化した化合物も使用可能である。重合体の動粘度としては、５．０〜１０００ｍｍ２／ｓ（４０℃）、好ましくは５．０〜５００ｍｍ２／ｓ（４０℃）である。
【００６５】
ポリビニルエーテルとしては、ビニルエーテルモノマーの重合によって得られる化合物であり、モノマーとしてはメチルビニルエーテル、エチルビニルエーテル、イソプロピルビニルエーテル、ｎ−ブチルビニルエーテル、イソブチルビニルエーテル、ｓｅｃ−ブチルビニルエーテル、ｔｅｒｔ−ブチルビニルエーテル、ｎ−ペンチルビニルエーテル、ｎ−ヘキシルビニルエーテル、２−メトキシエチルビニルエーテル、２−エトキシエチルビニルエーテル等が挙げられる。重合体の動粘度としては、５．０〜１０００ｍｍ２／ｓ（４０℃）、好ましくは５．０〜５００ｍｍ２／ｓ（４０℃）である。
【００６６】
ポリフェニルエーテルとしては、２個以上の芳香環のメタ位をエーテル結合又はチオエーテル結合でつないだ構造を有する化合物が挙げられ、具体的には、ビス（ｍ−フェノキシフェニル）エーテル、ｍ−ビス（ｍ−フェノキシフェノキシ）ベンゼン、及びそれらの酸素の１個若しくは２個以上を硫黄に置換したチオエーテル類（通称Ｃ−エーテル）等が例示される。
【００６７】
アルキルフェニルエーテルとしては、ポリフェニルエーテルを炭素数６〜１８の直鎖状若しくは分岐鎖状のアルキル基で置換した化合物が挙げられ、特に１個以上のアルキル基で置換したアルキルジフェニルエーテルが好ましい。
【００６８】
シリコーン油としては、ジメチルシリコーン、メチルフェニルシリコーンのほか、長鎖アルキルシリコーン、フルオロシリコーン等の変性シリコーンが挙げられる。
【００６９】
これらの併用基油の中でも、耐熱性及び潤滑性に優れる点で合成炭化水素油及び有機酸エステルが好ましく、特に、ポリ−α−オレフィン、シクロアルカン誘導体、脂肪族二塩基酸ジエステル、ポリオールエステル及び脂肪酸モノエステルが好ましい。
【００７０】
特に好ましい脂肪酸モノエステルとしては、炭素数１２〜１８の脂肪族直鎖状モノカルボン酸と炭素数８〜１０の脂肪族飽和直鎖状一価アルコール又は炭素数８〜１３の脂肪族飽和分岐鎖状一価アルコールとのフルエステルが例示される。具体的には、ｎ−ドデカン酸ｎ−オクチル、ｎ−ドデカン酸ｎ−ノニル、ｎ−ドデカン酸ｎ−デシル、ｎ−ドデカン酸２−エチルヘキシル、ｎ−ドデカン酸イソオクチル、ｎ−ドデカン酸イソノニル、ｎ−ドデカン酸３，５，５−トリメチルヘキシル、ｎ−ドデカン酸イソデシル、ｎ−ドデカン酸イソウンデシル、ｎ−ドデカン酸イソドデシル、ｎ−ドデカン酸イソトリデシル、ｎ−テトラデカン酸ｎ−ノニル、ｎ−テトラデカン酸ｎ−デシル、ｎ−テトラデカン酸２−エチルヘキシル、ｎ−テトラデカン酸イソオクチル、ｎ−テトラデカン酸イソノニル、ｎ−テトラデカン酸３，５，５−トリメチルヘキシル、ｎ−テトラデカン酸イソデシル、ｎ−テトラデカン酸イソウンデシル、ｎ−テトラデカン酸イソドデシル、ｎ−テトラデカン酸イソトリデシル、ｎ−ヘキサデカン酸ｎ−ノニル、ｎ−ヘキサデカン酸ｎ−デシル、ｎ−ヘキサデカン酸２−エチルヘキシル、ｎ−ヘキサデカン酸イソオクチル、ｎ−ヘキサデカン酸イソノニル、ｎ−ヘキサデカン酸３，５，５−トリメチルヘキシル、ｎ−ヘキサデカン酸イソデシル、ｎ−ヘキサデカン酸イソウンデシル、ｎ−ヘキサデカン酸イソドデシル、ｎ−ヘキサデカン酸イソトリデシル、ｎ−オクタデカン酸ｎ−ノニル、ｎ−オクタデカン酸ｎ−デシル、ｎ−オクタデカン酸２−エチルヘキシル、ｎ−オクタデカン酸イソオクチル、ｎ−オクタデカン酸イソノニル、ｎ−オクタデカン酸３，５，５−トリメチルヘキシル、ｎ−オクタデカン酸イソデシル、ｎ−オクタデカン酸イソウンデシル、ｎ−オクタデカン酸イソドデシル、ｎ−オクタデカン酸イソトリデシルが好ましい。
【００７１】
これらの中でも、混合油の低温流動性に優れ、かつ、低温粘度が低い点で、ｎ−ドデカン酸２−エチルヘキシル、ｎ−ドデカン酸イソオクチル、ｎ−ドデカン酸イソノニル、ｎ−ドデカン酸３，５，５−トリメチルヘキシル、ｎ−ドデカン酸イソデシル、ｎ−テトラデカン酸２−エチルヘキシル、ｎ−テトラデカン酸イソオクチル、ｎ−テトラデカン酸イソノニル、ｎ−テトラデカン酸３，５，５−トリメチルヘキシル、ｎ−テトラデカン酸イソデシルが最も好ましい。
【００７２】
特に好ましい脂肪族二塩基酸ジエステルとしては、アジピン酸、アゼライン酸又はセバシン酸と、炭素数８〜１０の脂肪族飽和直鎖状一価アルコール又は炭素数８〜１３の脂肪族飽和分岐鎖状一価アルコールとのフルエステルが例示される。具体的には、アジピン酸ジ（ｎ−オクチル）、アジピン酸ジ（ｎ−ノニル）、アジピン酸ジ（ｎ−デシル）、アジピン酸ジ（２−エチルヘキシル）、アジピン酸ジイソオクチル、アジピン酸ジイソノニル、アジピン酸ジ（３，５，５−トリメチルヘキシル）、アジピン酸ジイソデシル、アジピン酸ジイソウンデシル、アジピン酸ジイソドデシル、アジピン酸ジイソトリデシル、アゼライン酸ジ（ｎ−オクチル）、
アゼライン酸ジ（ｎ−ノニル）、アゼライン酸ジ（ｎ−デシル）、アゼライン酸ジ（２−エチルヘキシル）、アゼライン酸ジイソオクチル、アゼライン酸ジイソノニル、アゼライン酸ジ（３，５，５−トリメチルヘキシル）、アゼライン酸ジイソデシル、アゼライン酸ジイソウンデシル、アゼライン酸ジイソドデシル、アゼライン酸ジイソトリデシル、セバシン酸ジ（ｎ−オクチル）、セバシン酸ジ（ｎ−ノニル）、セバシン酸ジ（ｎ−デシル）、セバシン酸ジ（２−エチルヘキシル）、セバシン酸ジイソオクチル、セバシン酸ジイソノニル、セバシン酸ジ（３，５，５−トリメチルヘキシル）、セバシン酸ジイソデシル、セバシン酸ジイソウンデシル、セバシン酸ジイソドデシル、セバシン酸ジイソトリデシルが好ましい。
【００７３】
これらの中でも、混合油の低温流動性に優れる点で、アジピン酸ジ（２−エチルヘキシル）、
アジピン酸ジイソノニル、アジピン酸ジ（３，５，５−トリメチルヘキシル）、アジピン酸ジイソデシル、アジピン酸ジイソトリデシル、アゼライン酸ジ（２−エチルヘキシル）、アゼライン酸ジイソノニル、アゼライン酸ジ（３，５，５−トリメチルヘキシル）、アゼライン酸ジイソデシル、アゼライン酸ジイソトリデシル、セバシン酸ジ（２−エチルヘキシル）、セバシン酸ジイソノニル、セバシン酸ジ（３，５，５−トリメチルヘキシル）、セバシン酸ジイソデシル、セバシン酸ジイソトリデシルが最も好ましい。
【００７４】
又、特に好ましいポリオールエステルとしては、ネオペンチルグリコール、３−メチル−１，５−ペンタンジオール、トリメチロールプロパン、ペンタエリスリトール又はジペンタエリスリトールと、炭素数４〜１０の直鎖状及び／又は分岐鎖状の脂肪酸とのフルエステルが例示される。具体的には、ネオペンチルグリコール、３−メチル１，５−ペンタンジオール、トリメチロールプロパン、ペンタエリスリトール及びジペンタエリスリトールからなる群より選ばれる１種若しくは２種以上の多価アルコール、及びｎ−ブタン酸、ｎ−ペンタン酸、ｎ−ヘキサン酸、ｎ−ヘプタン酸、ｎ−オクタン酸、ｎ−ノナン酸、ｎ−デカン酸、イソブタン酸、イソペンタン酸、イソヘキサン酸、イソヘプタン酸、イソオクタン酸、２−エチルヘキサン酸、イソノナン酸、３，５，５−トリメチルヘキサン酸及びイソデカン酸からなる群より選ばれる１種若しくは２種以上の脂肪族モノカルボン酸から得られるフルエステルが好ましい。
【００７５】
これらの中でも、混合油の低温流動性に優れる点で、ネオペンチルグリコール又は３−メチル−１，５−ペンタンジオールと炭素数５〜１０の直鎖状及び／又は分岐鎖状の脂肪酸とのジエステルが最も好ましい。
【００７６】
本発明に係る各種の軸受装置の軸受用潤滑油には、その性能を向上させるために、酸化防止剤、金属清浄剤、無灰分散剤、油性剤、摩耗防止剤、極圧剤、金属不活性剤、防錆剤、粘度指数向上剤、流動点降下剤、消泡剤等の添加剤の１種又は２種以上を適宜配合することも可能である。これらの配合量は、所定の効果を奏する限り特に限定されるものではないが、その具体的な例を以下に示す。
【００７７】
酸化防止剤としては、２，６−ジ−ｔｅｒｔ−ブチル−ｐ−クレゾール、２−ｔｅｒｔ−ブチル−４−ヒドロキシアニソール、２，５−ジ−ｔｅｒｔ−ブチルハイドロキノン、４−ヒドロキシメチル−２，６−ジ−ｔｅｒｔ−ブチルフェノール、４，４’−メチレンビス−２，６−ジ−ｔｅｒｔ−ブチルフェノール、２，２’−メチレンビス−４−メチル−６−ｔｅｒｔ−ブチルフェノール等のフェノール系、Ｎ−フェニル−α−ナフチルアミン、ｐ，ｐ’−ジオクチルジフェニルアミン、ｐ，ｐ’−ジノニルジフェニルアミン、混合ジアルキルジフェニルアミン等のアミン系、フェノチアジン等の硫黄系化合物等が例示される。これらの酸化防止剤は、単独で又は組合わせて用いてもよく、これらの酸化防止剤を使用する場合、通常、軸受用潤滑油に対して０．０１〜５重量％、好ましくは０．０５〜３重量％添加することが望ましい。
【００７８】
金属清浄剤としては、Ｃａ−石油スルフォネート、過塩基性Ｃａ−石油スルフォネート、Ｃａ−アルキルベンゼンスルフォネート、過塩基性Ｃａ−アルキルベンゼンスルフォネート、Ｂａ−アルキルベンゼンスルフォネート、過塩基性Ｂａ−アルキルベンゼンスルフォネート、Ｍｇ−アルキルベンゼンスルフォネート、過塩基性Ｍｇ−アルキルベンゼンスルフォネート、Ｎａ−アルキルベンゼンスルフォネート、過塩基性Ｎａ−アルキルベンゼンスルフォネート、Ｃａ−アルキルナフタレンスルフォネート、過塩基性Ｃａ−アルキルナフタレンスルフォネートなどの金属スルフォネート、Ｃａ−フェネート、過塩基性Ｃａ−フェネート、Ｂａ−フェネート、過塩基性Ｂａ−フェネートなどの金属フェネート、Ｃａ−サリシレート、過塩基性Ｃａ−サリシレートなどの金属サリシレート、Ｃａ−フォスフォネート、過塩基性Ｃａ−フォスフォネート、Ｂａ−フォスフォネート、過塩基性Ｂａ−フォスフォネートなどの金属フォスフォネート、過塩基性Ｃａ−カルボキシレート等が例示される。これらの金属清浄剤は、単独で又は組合わせて用いてもよく、これらの金属清浄剤を使用する場合、通常、軸受用潤滑油に対して１〜１０重量％、好ましくは２〜７重量％添加することが望ましい。
【００７９】
無灰分散剤としては、ポリアルケニルコハク酸イミド、ポリアルケニルコハク酸アミド、ポリアルケニルベンジルアミン、ポリアルケニルコハク酸エステル等が例示される。これらの無灰分散剤は、単独で又は組合わせて用いてもよく、これらの無灰分散剤を使用する場合、通常、軸受用潤滑油に対して１〜１０重量％、好ましくは２〜７重量％添加することが望ましい。
【００８０】
油性剤としては、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和及び不飽和モノアミン、ラウリン酸アミド、オレイン酸アミドなどの脂肪族飽和及び不飽和モノカルボン酸アミド、バチルアルコール、キミルアルコール、セラキルアルコールなどのグリセリンエーテル、ラウリルポリグリセリンエーテル、オレイルポリグリセリルエーテルなどのアルキル若しくはアルケニルポリグリセリルエーテル、ジ（２−エチルヘキシル）モノエタノールアミン、ジイソトリデシルモノエタノールアミンなどのアルキル若しくはアルケニルアミンのポリ（アルキレンオキサイド）付加物等が例示される。これらの油性剤は、単独で又は組合わせて用いてもよく、これらの油性剤を使用する場合、通常、軸受用潤滑油に対して０．０１重量％〜５重量％、好ましくは０．１重量％〜３重量％添加することが望ましい。
【００８１】
摩耗防止剤・極圧剤としては、トリクレジルホスフェート、クレジルジフェニルホスフェート、アルキルフェニルホスフェート類、トリブチルホスフェート、ジブチルホスフェート等のリン酸エステル類、トリブチルホスファイト、ジブチルホスファイト、トリイソプロピルホスファイト等の亜りん酸エステル類及びこれらのアミン塩等のリン系、硫化油脂、硫化オレイン酸などの硫化脂肪酸、ジベンジルジスルフィド、硫化オレフィン、ジアルキルジスルフィドなどの硫黄系、Ｚｎ−ジアルキルジチオフォスフェート、Ｚｎ−ジアルキルジチオフォスフェート、Ｍｏ−ジアルキルジチオフォスフェート、Ｍｏ−ジアルキルジチオカルバメートなどの有機金属系化合物等が例示される。これらの摩耗防止剤は、単独で又は組合わせて用いてもよく、これらの摩耗防止剤・極圧剤を使用する場合、通常、軸受用潤滑油に対して０．０１重量％〜１０重量％、好ましくは０．１重量％〜５重量％添加することが望ましい。
【００８２】
金属不活性剤としては、ベンゾトリアゾール系、チアジアゾール系、没食子酸エステル系の化合物等が例示される。これらの金属不活性剤の中でも色相、長期耐久性に優れる点で、没食子酸エステルが好ましい。没食子酸エステルとしては、具体的には炭素数３〜１２のアルキル基を有する没食子酸アルキルエステルが例示される。これらの金属不活性剤は、単独で又は組合わせて用いてもよく、これらの金属不活性剤を使用する場合、通常、軸受用潤滑油に対して０．０１〜０．４重量％、好ましくは０．０１〜０．２重量％添加することが望ましい。
【００８３】
防錆剤としては、ドデセニルコハク酸ハーフエステル、オクタデセニルコハク酸無水物、ドデセニルコハク酸アミドなどのアルキル又はアルケニルコハク酸誘導体、ソルビタンモノオレエート、グリセリンモノオレエート、ペンタエリスリトールモノオレエートなどの多価アルコール部分エステル、Ｃａ−石油スルフォネート、Ｃａ−アルキルベンゼンスルフォネート、Ｂａ−アルキルベンゼンスルフォネート、Ｍｇ−アルキルベンゼンスルフォネート、Ｎａ−アルキルベンゼンスルフォネート、Ｚｎ−アルキルベンゼンスルフォネート、Ｃａ−アルキルナフタレンスルフォネートなどの金属スルフォネート、ロジンアミン、Ｎ−オレイルザルコシンなどのアミン類、ジアルキルホスファイトアミン塩等が例示される。これらの防錆剤は、単独で又は組合わせて用いてもよく、これらの防錆剤を使用する場合、通常、軸受用潤滑油に対して０．０１重量％〜５重量％、好ましくは０．０５〜２重量％添加することが望ましい。
【００８４】
粘度指数向上剤としては、ポリアルキルメタクリレート、ポリアルキルスチレン、ポリブテン、エチレン−プロピレン共重合体、スチレン−ジエン共重合体、スチレン−無水マレイン酸エステル共重合体などのオレフィン共重合体が例示される。これらの粘度指数向上剤は、単独で又は組合わせて用いてもよく、これらの粘度指数向上剤を使用する場合、通常、軸受用潤滑油に対して０．１〜１５重量％、好ましくは０．５〜７重量％添加することが望ましい。
【００８５】
流動点降下剤としては、塩素化パラフィンとアルキルナフタレンの縮合物、塩素化パラフィンとフェノールの縮合物、既述の粘度指数向上剤であるポリアルキルメタクリレート、ポリアルキルスチレン、ポリブテン等が例示される。これらの流動点降下剤は、単独で又は組合わせて用いてもよく、これらの流動点降下剤を使用する場合、通常、軸受用潤滑油に対して０．０１〜５重量％、好ましくは０．１〜３重量％添加することが望ましい。
【００８６】
消泡剤としては、液状シリコーンが適しており、その添加量は、これらの消泡剤を使用する場合、通常、軸受用潤滑油に対して０．０００５〜０．０１重量％である。
【００８７】
更に、加水分解抑制剤を配合することも可能であり、具体的には、アルキルグリシジルエーテル類、アルキレングリコールグリシジルエーテル類、脂環式エポキシ類、フェニルグリシジルエーテルなどのエポキシ化合物、ジ−ｔｅｒｔ−ブチルカルボジイミド、１，３−ジ−ｐ−トリルカルボジイミドなどのカルボジイミド化合物が使用可能であり、これらの加水分解抑制剤を使用する場合、通常、軸受用潤滑油に対して０．０５重量％〜２重量％添加するのが望ましい。
【００８８】
本発明に係る軸受用潤滑油は、従来公知の潤滑油と比べて耐熱性及び低温流動性が同等又はそれ以上である。
【００８９】
又、本発明の軸受用潤滑油は、種々の材質の軸受に使用することができ、金属適合性に優れる。具体的には、鉄系軸受、銅系軸受、鉛系軸受などが例示されるが、特に鉄系軸受及び銅系軸受との適合性に優れる。
【００９０】
本発明の軸受用潤滑油の中でも、４０℃における動粘度が５〜１５ｍｍ２／ｓであることが好ましく、更に、省電力性の点で４０℃における動粘度が５〜１０ｍｍ２／ｓであり、且つ、０℃における動粘度が１５〜５０ｍｍ２／ｓ、さらには、１５〜４５ｍｍ２／ｓ、特に１５〜４０ｍｍ２／ｓであることが好ましい。また、流動点においては、−４０℃以下が好ましく、特に−６０℃以下の潤滑油が好ましい。
【００９１】
本発明の軸受用潤滑油の中でも、４０℃における動粘度が５〜１５ｍｍ２／ｓであり、粘度指数が１３０以上、流動点が−４０℃以下である潤滑油が好ましく、更には、４０℃における動粘度が５〜１５ｍｍ２／ｓであり、粘度指数が１３５以上、流動点が−４０℃以下である潤滑油がより好ましく、要求される物性により適宜選択される。特に低温流動性が要求される場合には、４０℃における粘度指数が５〜１５ｍｍ２／ｓであり、粘度指数が１２０以上、且つ流動点が−６０℃以下である潤滑油が好ましく、より高い粘度指数が求められる場合には、４０℃における動粘度が５〜１５ｍｍ２／ｓであり、粘度指数１４５以上、且つ流動点が−４０℃以下である潤滑油が好ましい。
【００９２】
以下に実施例を掲げて本発明を詳しく説明するが、本発明は実施例に限定されるものではない。また、各実施例及び比較例における潤滑油の物理特性及び化学特性は以下の方法により評価した。
【００９３】
（ａ）全酸価
ＪＩＳ  Ｋ２５０１に準拠して測定した。
【００９４】
（ｂ）動粘度
ＪＩＳ  Ｋ２２８３に準拠して、０℃、４０℃、１００℃における動粘度を測定した。
【００９５】
（ｃ）粘度指数
ＪＩＳ  Ｋ２２８３に準拠して算出した。
【００９６】
（ｄ）低温流動性試験
ＪＩＳ  Ｋ２２６９に準拠して流動点を測定した。
【００９７】
潤滑油の耐熱性試験は、通常、酸化防止剤などの添加剤を加えて行われる。本潤滑油及び比較油も同一の添加剤を配合して耐熱性試験を行った。
【００９８】
（ｆ）耐熱性試験
実施例又は比較例の各々のエステルに対し、４，４’−メチレンビス−２，６−ジ−ｔｅｒｔ−ブチルフェノール、ｐ，ｐ’−ジオクチルジフェニルアミン、各０．５重量％を添加溶解させて潤滑油（以下、この組成のものを「添加油」という。）を調製した。次いで、内径５３mm、高さ５６mmの５０ｍＬビーカーに上記添加油２ｇを入れ、２００ｍＬビーカーで蓋をした後、オーブン中１５０℃で２４時間加熱した。試験後、添加油の揮発量［％＝（試験前の重量−試験後の重量）／試験前の重量×１００］を測定し、揮発量が少ないものほど耐熱性に優れると判断した。
【００９９】
（ｇ）金属適合性試験          
実施例又は比較例のエステルを５０ｍＬ共栓付試験管に約５０ｍＬを入れ、金属片（鉄、銅、鉛）を入れ、オーブン中９０℃で１４日間加熱した。試験後、濾過処理したエステルの全酸価を測定する。全酸価の上昇が少ないものほど金属との適合性が良好である。また、試験片は下記のものを使用した。
鉄：針金（長さ４０ｍｍ、径１．６ｍｍ）、表面を研磨紙（６００番）で磨いた後に使用した。
銅：針金（長さ４０ｍｍ、径１．６ｍｍ）、表面を研磨紙（６００番）で磨いた後に使用した。
鉛：塊状鉛（約１ｇ、ナカライテスク製品）
【０１００】
製造例１
撹拌器、温度計、冷却管付き水分分留受器を備えた１リットルの四ツ口フラスコに３−メチルアジピン酸（試薬）１９２．２ｇ（１．２モル）、ｎ−オクタノール（試薬）２２９．４ｇ（１．７６モル）、イソノナノール（協和発酵ケミカル製品「オキソコール９００」）１０８．８ｇ（０．７６モル）、及び触媒としてテトラ−ｎ−ブチルチタネート（酸及びアルコールの総量に対し０．１重量％）を仕込み、窒素雰囲気下、減圧にて２２０℃まで昇温した。理論生成水量（４３．２ｇ）を目処にして留出してくる生成水を水分分留受器で除去しながらエステル化反応を約４時間行った。反応終了後、過剰のアルコールを蒸留により除去してエステル化粗物を得た。次いで、得られたエステル化粗物を反応終了後の全酸価に対して過剰の苛性ソーダ水溶液で中和後、中性になるまで水洗した。更に、得られたエステル化粗物を活性炭で処理後、濾過により活性炭を除去してエステル［３−メチルアジピン酸とｎ−オクタノール／イソノナノール（モル比＝７０／３０）とから得られる混基エステル］４００ｇを得た。得られたエステルの全酸価は０．０１ｍｇＫＯＨ／ｇであった。
【０１０１】
製造例２
ｎ−オクタノールとイソノナノールの代わりにｎ−オクタノール３２７．６ｇ（２．５２モル）のみを使用した以外は製造例１と同様の方法により、エステル（３−メチルアジピン酸ジｎ−オクチル）３９９ｇを得た。得られたジエステルの全酸価は０．０１ｍｇＫＯＨ／ｇであった。
【０１０２】
製造例３
３−メチルアジピン酸の代わりに２−メチル無水コハク酸を用いた。
２−メチル無水コハク酸の製造方法は以下の通りである。
５００ミリリットルのＳＵＳ３１６−Ｌ製オートクレーブ（撹拌機付き）に無水イタコン酸８０ｇ、ジエチレングリコールジメチルエーテル８０ｇ及び５重量％Ｐｄ−アルミナ粉末触媒（エヌ・イーケムキャット製）を０．１２ｇ仕込み、撹拌しながら系内を窒素ガスで２回、次いで水素ガスで５回置換した。水素圧を５ＭＰａに保ちながら昇温し、反応温度５０℃で１時間水素化反応を行った。反応液をオートクレーブから抜き出し触媒を減圧濾過装置で、Ｎｏ．５Ｃ濾紙を用いて、濾過分離して反応液を得た。この濾過反応液をガスクロマトグラフィー法で分析したところ、無水イタコン酸転化率１００％、２−メチル無水コハク酸選択率９８．７％であった。その後、反応液を蒸留し、純度９９．０％の２−メチル無水コハク酸を得た。
上記の製造方法で得られた２−メチル無水コハク酸１５７．５ｇ（１．１９モル）を、ｎ−オクタノールとイソノナノールの代わりにｎ−ノナノール３６０．９ｇ（２．５１モル）のみを使用した以外は製造例１と同様の方法により、エステル（２−メチルコハク酸ジｎ−ノニル）３９９ｇを得た。得られたジエステルの全酸価は０．０１ｍｇＫＯＨ／ｇであった。
【０１０３】
製造例４
３−メチルアジピン酸の代わりにアジピン酸（試薬）２０４．４ｇ（１．４モル）を使用した以外は製造例１と同様の方法により、エステル [アジピン酸とｎ−オクタノール／イソノナノール（モル比＝７０／３０）とから得られる混基エステル］４５６ｇを得た。得られたジエステルの全酸価は０．０１ｍｇＫＯＨ／ｇであった。
【０１０４】
製造例５
３−メチルアジピン酸の代わりにアジピン酸（試薬）１９２．３ｇ（１．３２モル）を、ｎ−オクタノールとイソノナノールの代わりにｎ−オクタノール３４９．５ｇ（２．６９モル）のみを使用した以外は製造例１と同様の方法により、エステル（アジピン酸ジｎ−オクチル）４２２ｇを得た。得られたジエステルの全酸価は０．０１ｍｇＫＯＨ／ｇであった。
【０１０５】
製造例６
３−メチルアジピン酸の代わりにアジピン酸（試薬）１９２．３ｇ（１．３２モル）を、ｎ−オクタノールとイソノナノールの代わりに２−エチルヘキサノール（協和発酵ケミカル製品「オクタノール」）３４９．５ｇ（２．６９モル）のみを使用した以外は製造例１と同様の方法により、エステル（アジピン酸ジ２−エチルヘキシル）４２２ｇを得た。得られたジエステルの全酸価は０．０１ｍｇＫＯＨ／ｇであった。
【実施例】
【０１０６】
実施例１
製造例１で得られたエステルの動粘度、粘度指数、低温流動性試験、耐熱性試験、及び金属適合性試験の結果を表１に示す。
【０１０７】
実施例２
製造例２で得られたエステルの動粘度、粘度指数、低温流動性試験、耐熱性試験、及び金属適合性試験の結果を表１に示す。
【０１０８】
実施例３
製造例３で得られたエステルの動粘度、粘度指数、低温流動性試験、耐熱性試験及び金属適合性試験の結果を表１に示す。
【比較例】
【０１０９】
比較例１
製造例４で得られたエステルの動粘度、粘度指数、低温流動性試験、耐熱性試験、及び金属適合性試験の結果を表１に示す。
【０１１０】
比較例２
製造例５で得られたエステルの動粘度、粘度指数、低温流動性試験、耐熱性試験、及び金属適合性試験の結果を表１に示す。
【０１１１】
比較例３
製造例６で得られたエステルの動粘度、粘度指数、低温流動性試験、耐熱性試験、及び金属適合性試験の結果を表１に示す。
【０１１２】
【表１】
2008297501.tif 000004
【０１１３】
また、低温粘度、低温流動性、耐熱性、粘度指数、及び金属適合性の各項目について、下記の方法で評点付けをした。その結果を図１〜６に示す。
［低温粘度］
評点５：０℃における動粘度が、４０ｍｍ２／ｓ未満
評点４：０℃における動粘度が、４０ｍｍ２／ｓ以上４５ｍｍ２／ｓ未満
評点３：０℃における動粘度が、４５ｍｍ２／ｓ以上５０ｍｍ２／ｓ未満
評点２：０℃における動粘度が、５０ｍｍ２／ｓ以上５５ｍｍ２／ｓ未満
評点１：０℃における動粘度が、５５ｍｍ２／ｓ以上
［低温流動性］          
評点５：流動点が、−６０℃以下
評点４：流動点が、−４０℃以下から−６０℃より高い
評点３：流動点が、−２０℃以下から−４０℃より高い
評点２：流動点が、−１０℃以下から−２０℃より高い
評点１：流動点が、−１０℃より高い             
［耐熱性］
評点５：揮発量が、０．５ｗｔ％未満
評点４：揮発量が、０．５ｗｔ％以上０．７ｗｔ％未満
評点３：揮発量が、０．７ｗｔ％以上０．９ｗｔ％未満
評点２：揮発量が、０．９ｗｔ％以上１．１ｗｔ％未満
評点１：揮発量が、１．１ｗｔ％以上
［粘度指数］                     数値範囲変えて→グラフも変更
評点５：粘度指数が、１４５以上
評点４：粘度指数が、１４０以上１４５未満
評点３：粘度指数が、１３５以上１４０未満
評点２：粘度指数が、１３０以上１３５未満
評点１：粘度指数が、１３０未満
［金属適合性］
評点５：試験後の酸価が、０．０５ｍｇＫＯＨ／ｇ未満
評点４：試験後の酸価が、０．０５ｍｇＫＯＨ／ｇ以上０．１ｍｇＫＯＨ／ｇ未満
評点３：試験後の酸価が、０．１ｍｇＫＯＨ／ｇ以上０．１５ｍｇＫＯＨ／ｇ未満
評点２：試験後の酸価が、０．１５ｍｇＫＯＨ／ｇ以上０．２ｍｇＫＯＨ／ｇ未満
評点１：試験後の酸価が、０．２ｍｇＫＯＨ／ｇ以上
【０１１４】
実施例（図１〜３）から明らかなように、本願発明の潤滑油は、低温粘度、低温流動性、耐熱性、粘度指数、金属適合性の評点が何れも３点以上とバランスに優れた特性を有している。比較例１〜３から明らかなように本願規定の構造を有さない脂肪族直鎖状二塩基酸ジエステルからなる潤滑油は、低温流動性に劣っていたり（図４、図５）、耐熱性が劣っていたり（図６）、或いは粘度指数が低い（図６）、金属適合性に劣る（図４、図５）などバランスを欠いている。  
【産業上の利用分野】
【０１１５】
本発明に従い、一般式（１）で表されるジエステルを含有することにより得られる軸受用潤滑油は、低粘度、粘度指数、耐熱性、潤滑性、低温流動性、金属適合性などの基本要求特性をバランスよく兼ね備えた潤滑油を得ることが出来る。本発明に係わる、軸受部における粘性摩擦の低減、更には機器の消費電力の削減に効果を有する。
【図面の簡単な説明】
【０１１６】
【図１】実施例１の潤滑油の評点
【０１１７】
【図２】実施例２の潤滑油の評点
【０１１８】
【図３】実施例３の潤滑油の評点
【０１１９】
【図４】比較例１の潤滑油の評点
【０１２０】
【図５】比較例２の潤滑油の評点
【０１２１】
【図６】比較例３の潤滑油の評点
【図１】
2008297501.tif 000007
【図２】
2008297501.tif 000008
【図３】
2008297501.tif 000009
【図４】
2008297501.tif 000010
【図５】
2008297501.tif 000011
【図６】
2008297501.tif 000012